(57)【要約】【課題】犬の足が排水口に入り込むことを防止した洗面化粧台を提供する。【解決手段】  カウンター２０と、カウンター２０の開口２１に取り付けたボウル３０と、を備えた洗面化粧台１であって、ボウル底における奥側のボウル側壁部に寄せた位置に形成した凹部３６と、凹部３６の底面に形成した排水口７０と、凹部３６を脱着可能に覆う排水蓋３７と、凹部３６を覆った排水蓋３７と奥側のボウル側壁部との間に形成した排水口７０に通じる排水路３８と、を備えている。【選択図】図２
2009046859.tif 000002
【特許請求の範囲】
【請求項１】
カウンターと、このカウンターの開口部に取り付けられたボウルと、を備えた洗面化粧台であって、
ボウル底における奥側のボウル側壁部寄りの位置に形成された凹部と、
上記凹部の底面に形成された排水口と、
上記凹部を覆う脱着可能な排水蓋と、
上記凹部を覆った状態で上記排水蓋と奥側のボウル側壁部との間に形成された、上記排水口に通じる排水路と、を備えたことを特徴とする洗面化粧台。
【請求項２】
前記排水路が前記ボウル底に形成されていることを特徴とする、請求項１に記載の洗面化粧台。
【請求項３】
前記排水路が、前記ボウル底に形成された傾斜面で構成されていることを特徴とする、請求項２に記載の洗面化粧台。
【請求項４】
前記排水路が、幅（Ｗ３）８０〜１５０ｍｍ、且つ、奥行き（Ｄ３）１０〜５０ｍｍで成ることを特徴とする、請求項２又は３に記載の洗面化粧台。
【発明の詳細な説明】
【技術分野】
【０００１】
本発明は、洗面化粧台のボウルの構造に係り、特に、ボウル底の排水口まわりの構造に関するものである。
【背景技術】
【０００２】
小型犬などのペットを飼っている家庭では、洗面化粧台のボウルに犬を入れて犬をシャンプーで洗い、さらに、ボウルに犬を入れた状態でドライヤーによって毛を乾かすこと等が行われている。
【０００３】
家庭でペットの洗浄等を行うときに利用される洗面化粧台として、例えば特許文献１〜３に開示されている技術が知られている。
特許文献１には、ボウルにペットを入れた状態でユーザーが両手を自由に使えるように、ボウルの前側に設けたシャワー水栓の吐出部から水を奥側へ吐出する化粧台が開示されている。
特許文献２には、ペット洗浄時に水はね等によって洗面化粧台まわりの床等が濡れるのを防止するために、ボウルまわりをカーテンで覆う化粧台が開示されている。
特許文献３には、犬をボウルに入れて洗う際の水はねを防止するため、ボウル底を深くし、また、犬が足を滑らせるのを防止するため、ボウル底を平らにし且つ滑り止め仕上げを施した化粧台が開示されている。
【０００４】
【特許文献１】特開２００４−２８５７３４号公報
【特許文献２】特開２００４−３２１４７５号公報
【特許文献３】実用新案登録第３０６４７３９号公報
【発明の開示】
【発明が解決しようとする課題】
【０００５】
この種の洗面化粧台において、ボウル内で犬の洗浄に用いた水の排水がスムーズに行われるよう排水口を大きくすることが望まれるが、この排水口がボウル底に露呈したままの状態で犬の洗浄等を行うと、犬が排水口に足を入り込ませるおそれがある。さらに、犬が入れた足を自由に動かせないまま体勢を崩すと、転倒するおそれがある。
【０００６】
本発明は以上の課題に鑑みて創作されたものであり、犬などのペットの足が排水口に入り込むのを防止した洗面化粧台を提供することを目的としている。
【課題を解決するための手段】
【０００７】
上記目的を達成するために、本発明は、カウンターと、このカウンターの開口部に取り付けられたボウルと、を備えた洗面化粧台であって、ボウル底における奥側のボウル側壁部寄りの位置に形成された凹部と、この凹部の底面に形成された排水口と、上記凹部を覆う脱着可能な排水蓋と、凹部を覆った状態で上記排水蓋と奥側のボウル側壁部との間に形成された排水口に通じる排水路と、を備えたことを特徴としている。
【０００８】
本発明の洗面化粧台において、排水路はボウル底に形成され、好ましくは、傾斜面で構成される。排水路は、幅（Ｗ３）８０〜１５０ｍｍで、奥行き（Ｄ３）１０〜５０ｍｍの傾斜面で成るのが望ましい。
【発明の効果】
【０００９】
本発明によれば、ボウル底の奥側に排水路を形成するようにして、排水口を排水蓋で覆っているから、犬などのペットが足を排水口へ入り込むのを防げる。これにより、犬がボウル内で転倒すること等を防止できる。
【発明を実施するための最良の形態】
【００１０】
図１は本発明の実施形態に係る洗面化粧台１を示す斜視図である。
洗面化粧台１は、ベースキャビネット１０と、このベースキャビネット１０上に載置されたカウンター２０と、このカウンター２０に形成されたボウル取付用の開口部２１に一体的に取り付けられたボウル３０と、カウンター２０の奥側の縁部から起立したバックボード４０と、このバックボード４０の上側に設けられたミラー５０と、このミラー５０の下縁に沿って設けられた小物棚６０と、から構成されている。
【００１１】
ベースキャビネット１０は、サイドキャビネット１１とボウルキャビネット１２とニースペースキャビネット１３とが隣り合うキャビネットの側面を当接した状態で幅方向に一列に並べられて、構成されている。
サイドキャビネット１１は、例えば、小物の収納に適した幅狭のキャビネットである。ボウルキャビネット１２は、カウンター底面から下方に膨出するように突出したボウル３０を収容するものであり、本実施形態の場合、ボウルキャビネット前面に２枚設けられた前板１２Ａ，１２Ｂの内、上側の前板１２Ａの内側領域がボウル収容領域として画成されている。ニースペースキャビネット１３は、その前側で椅子等に座ったユーザーが脚を入れることができる空間（ニースペース）Ｓ１を有する。各キャビネットの前側下部には、け込み１４が形成されている。
【００１２】
カウンター２０は、例えば、人造大理石製の板状部材で成り、横長に形成されている。このカウンター２０には、ボウル取付用の矩形状の開口部２１が左側にオフセットされて形成されている。
ここで、図２は、ボウル周辺の平面図であり、図３は図２のＡ−Ａ線断面図であり、図４は図２のＢ−Ｂ線断面図である。図３及び図４に示すように、カウンター２０の前縁には、この前縁が上方へ僅かに盛り上がった水返し２２が形成されており、カウンター２０の後縁は上方へ起立したバックガード２３が形成されている。
【００１３】
ボウル３０は、例えば、カウンターと同色の人造大理石製で成っていて、上方が開放した直方体型に形成されている。具体的には、ボウル３０は、手前側の第１側壁部３１と、この第１側壁部３１と対向する奥側の第２側壁部３２と、左右の第３側壁部３３及び第４側壁部３４と、これらの４つの側壁部３１〜３４の各下端に対し四辺が一体に繋がった底部３５とから構成されている。これら４つの側壁部３１〜３４と底部３５とにより、犬を収容する空間Ｓ２が画成されている。なお、本実施形態にかかるボウル３０は、主に背中の高さが１５０〜２５０ｍｍ程度の小型犬を入れることができるよう、幅Ｗ１を５００〜７５０ｍｍ程度、奥行きＤ１を３００〜４００ｍｍ程度、高さＨ１を２００〜３００ｍｍ程度に形成されている。なお、小型犬よりも大きな犬を対象とする場合には、その犬の背中がボウル内に入るようにボウル３０の寸法を選定するのが好ましい。
【００１４】
底部３５は、幅方向中間における第２側壁部３２寄りの領域に一段下がった凹部３６を備えている。この凹部３６は、ボウル３０の底部３５を直方体状に凹陥して形成されている。具体的には、この凹部３６の寸法は、幅Ｗ２（図２参照）が１００〜２００ｍｍ程度、奥行きＤ２（図２参照）が５０〜１５０ｍｍ程度、高さＨ２（図３参照）が１０〜５０ｍｍ程度に設定されている。この凹部３６の底面に排水口７０が配設されている。この凹部３６には、図５に示すように、凹部３６を覆うプレート状の排水蓋３７が取り外し可能に取り付けられる。この排水蓋３７は、ボウル３０と同色の人造大理石製で成っていて、その周縁は薄肉部３７Ａとして形成されている。この薄肉部３７Ａが凹部３６の開口縁３６Ａに当たり、排水蓋３７が凹部３６の底面から上方へ離れた位置に保持される。なお、排水口７０へ大量の水が流れ込むよう、排水蓋３７と凹部３６の底面との間隔Ｃ１（図４，図５参照）は５〜４０ｍｍ程度に設定される。排水蓋３７が凹部３６を塞いだ状態で排水蓋３７はボウル３０の底部３５と面一状になる。
【００１５】
本実施形態では、凹部３６を塞いでいる排水蓋３７と奥側の第２側壁部３２との間に、排水口７０に通じる排水路３８が形成されていることを特徴としている。即ち、凹部３６を塞いでいる排水蓋３７から奥側のボウル底が傾斜面３５Ａとして形成されている。この傾斜面３５Ａによって排水路３８が形成されている。この排水路３８は、幅Ｗ３（図２参照）８０〜１５０ｍｍ、奥行きＤ３（図２参照）１０〜５０ｍｍ程度に形成されており、指を差し込むことができるようになっている。
【００１６】
排水口７０には、図５に示すように、ゴミや毛を捕集する金属製又はプラスチック製のストレーナー１１１が取り付けられる。また、排水口７０には、ボウルに水をためて使用するための、止水蓋１１２を取り付けることができる。
【００１７】
各側壁部３１〜３４の上縁は同じ高さに設定されていて、図２に示すように平面視、各上縁によって輪郭が矩形状に形成される。第２側壁３２は、上縁寄りの位置に、ボウル底より一段高い段部３２Ａを備えている。この段部３２Ａは、横長の平面状の領域として形成されると共に、手前側から奥側へ向けて次第に高くなるように３度程度の勾配を持って形成されている。この勾配により、段部３２Ａ上に滴下した水はその傾斜面を下ってボウル底へ案内される。
なお、この段部３２Ａの奥側の縁部と左右の縁部からは上方へ起立した壁部３２Ｂが上記上縁の高さまで延出している。
【００１８】
図２に示す段部３２Ａの右半分の領域において、左側に吐水部１０１、右側に水の温度や水量を調節する操作部１０２が配設されている。なお、吐水部１０１に接続したホースがボウル裏側に引き出し可能に収容されていて、吐水部１０１を持ち上げて使用することができると共に、段部３２Ａ上で向きを変えられるよう回転可能に保持される。
【００１９】
さらに、本実施形態では、段部３２Ａの左右の端部近傍に、犬をつなぐリードを係止するための環状部材８１，８１が設けられている。これらの環状部材８１，８１は、例えば、アルミニウム製のリングであり、このリングは段部３２Ａに形成された孔（図示省略）に嵌合した取付用金具８２に取り付けられている。
【００２０】
ここで、上記環状部材８１，８１に係止されるリードについて説明する。
図６は本発明の実施形態に係るリード９０を示す斜視図である。リード９０は、紐材９１と、フック９２と、金具９３と、チューブ部材９４と、から構成される。この紐材９１の一部を利用して犬の首を入れる輪部９１Ａが一端部に形成されている。紐材９１は端部９１Ｂ，９１Ｃ同士を接合されており、この紐材９１にフック９２が移動可能に取り付けられている。
フック９２は、支柱状の本体部９２Ａと、この本体部９２Ａの先端部から延出した鉤部９２Ｂと、本体部９２Ａの先端部から出没可能で上記鉤部９２Ｂの先端と当接して輪を画成する連結部材９２Ｃと、この連結部材９２Ｃを鉤部９２Ｂ先端側へ付勢するばね部材（図示省略）と、本体部９２Ａの下端から突出した紐通し穴を有する突片９２Ｄと、から構成されている。
【００２１】
輪部９１Ａは具体的には次のように紐材９１を扱うことで構成される。
紐材９１の一部を利用して小さな輪を作り、その輪の付け根部９１Ｄが捻れるように輪を回転させる。紐材９１における捻れ部分には、捻れ状態が維持されるように、リング状の金具９３が取り付けられることで、図６に示すように輪部９１Ａが構成される。なお、金具９３をフック９２側へ動かすことで輪部９１Ａを大きくすることができ、金具９３を反フック９２側へ動かすことで輪部９１Ａを小さくすることができる。
また、紐材９１には、ゴム製のチューブ部材９４が、金具９３からフック９２までの間を移動可能に取り付けられている。輪部９１Ａの大きさを設定した後に、このチューブ部材９４を金具９３に隣接させることで金具９３のフック９２側への移動を規制できる。
【００２２】
このように構成された洗面化粧台１によれば、排水口７０が排水蓋３７で覆われた状態で、第２側壁部３２側のボウル底に形成された排水路３８を介して、使用した水が排水口７０へ案内されるので、犬が足を排水口７０へ入り込むのを防止し得るだけでなく、犬が足を排水路３８に入り込むことをも低減できる。
【００２３】
洗面化粧台１では、凹部３６を塞いだ排水蓋３７と奥側の第２側壁部３２との間に指を差し込むことができる排水路３８が形成されているので、排水路に指を入れて、排水蓋３７を掴むことができ、さらに、傾斜面３５Ａとして形成されている排水路３８が指を指し入れるときのガイドとして機能するので、排水蓋３７の取り外しが容易である。排水蓋３７の取り外しが容易なので、排水蓋３７下方のストレーナーの掃除や止水蓋の脱着も容易にできる。
【００２４】
ボウル３０内に犬を入れた状態で犬をリード９０でつなぎ、このリード９０のフック９２を左右何れかの環状部材８１，８１に係止させることができる。これにより、ボウル３０内で犬を洗ったり、ドライヤーで毛を乾かす作業中の犬の動きを規制できるので、犬が突然ボウルから飛び出して、床に落ちることを防止できる。
【００２５】
図７は本発明の第２実施形態に係るボウル３０Ａを示す平面図である。
このボウル３０Ａは底部３５に排水路３８が形成されておらず、排水蓋３７Ｂがその周縁の一部に切欠部３７Ｃを形成されて成ることを特徴としている。これにより、排水蓋３７Ｂが凹部３６を塞いだ状態で、その切欠部３７Ｃが排水路３８Ａを形成し、この排水路３８Ａを通じて水が排水口７０へ流れ込む。
このように、第２実施形態に係るボウル３０Ａにおいても、排水口７０が排水蓋３７Ｂで覆われていることで犬が足を排水口７０へ入り込むのを規制できる。
【００２６】
本発明はその趣旨を逸脱しない範囲において様々な形態で実施をすることができる。第１実施形態における排水路は傾斜面に限らず、ボウル底から鉛直下方に延びた壁面と、この壁面の下端から水平に延び凹部の底面に繋がった水平面とで構成されてもよく、この場合、壁面と水平面とは排水蓋で覆われないよう、排水蓋は凹部だけを覆う大きさに形成される。なお、水平面は、幅（Ｗ３）８０〜１５０ｍｍで、奥行き（Ｄ３）１０〜５０ｍｍで成るのが望ましい。
カウンターが横長に形成される場合、ボウルは右側にオフセットされて配設されてもよい。カウンター上方には、ミラーの他に、収納棚などが設けられても良い。洗面化粧台のベースキャビネットは、ニースペースキャビネットの代わりにニースペースを備えないキャビネットで構成されてもよく、或いはベースキャビネットは上記ニースペースキャビネットやサイドキャビネットを備えずにボウルキャビネットだけで構成されてもよい。ボウルの段差部に設けられる吐水装置は上記構成例の吐水部及び操作部に限らず、操作部付き水栓等でもよい。なお、上記実施形態では、犬の洗浄や乾燥に適用する例を説明したが、これに限らずペット一般に適用できることは言うまでもない。
【図面の簡単な説明】
【００２７】
【図１】本発明の実施形態に係る洗面化粧台を示す斜視図である。
【図２】本発明の第１実施形態に係るボウル周辺の平面図である。
【図３】図２のＡ−Ａ線断面図である。
【図４】図２のＢ−Ｂ線断面図である。
【図５】第１実施形態に係るボウル底に形成される凹部の拡大断面図である。
【図６】本発明の第１実施形態に係るリードを示す斜視図である。
【図７】本発明の第２実施形態に係るボウルを示す平面図である。
【符号の説明】
【００２８】
１  洗面化粧台
１０  ベースキャビネット
１１  サイドキャビネット
１２  ボウルキャビネット
１３  ニースペースキャビネット
１４  け込み
２０  カウンター
２１  開口部
２２  水返し
２３  バックガード
３０，３０Ａ  ボウル
３１  第１側壁部
３２  第２側壁部
３２Ａ  段部
３２Ｂ  壁部
３３  第３側壁部
３４  第４側壁部
３５  底部
３５Ａ  傾斜面
３６  凹部
３７，３７Ｂ  排水蓋
３７Ｃ  切欠部
３８，３８Ａ  排水路
４０  バックボード
５０  ミラー
６０  小物棚
７０  排水口
８１  環状部材
８２  取付用金具
９０  リード
９１  輪部
９２  フック
９２Ａ  本体部
９２Ｂ  鉤部
９２Ｃ  連結部材
９２Ｄ  突片
９３  紐材
９３Ａ，９３Ｂ  端部
９４  金具
１０１  吐水部
１０２  操作部
１１１  ストレーナー
１１２  止水蓋
Ｓ１，Ｓ２  空間
【図１】
2009046859.tif 000003
【図２】
2009046859.tif 000004
【図３】
2009046859.tif 000005
【図４】
2009046859.tif 000006
【図５】
2009046859.tif 000007
【図６】
2009046859.tif 000008
【図７】
2009046859.tif 000009